(57)【特許請求の範囲】
【請求項１】
２次元画像を担う原稿に光を照射する照射手段と、
当該照射した光の前記原稿からの反射光を受光する受光手段と、
受光した前記反射光に基づいて前記２次元画像を読取る読取手段とを含むスキャナを備えると共に、取り込んだ情報に基づいて変調した光を送信する送信手段を備えたスキャナ付携帯装置であって、
前記原稿を挟持するための、互いに接触する方向に付勢された圧着パッド並びにローラとを備えると共に、前記圧着パッドと前記ローラとの接触状態に基づいて前記原稿が前記パッドと前記ローラとに挟持されているか否かを検出する検出手段を備え、
前記スキャナは、前記検出手段が前記原稿が挟持されてないことを検出したときに、送信モードとなり前記変調した光を前記照射手段より出力するよう制御する制御手段を有し、
前記送信手段は、前記スキャナにおける前記照射手段から出射される出射光を前記情報に基づいて光変調する変調手段を備えたことを特徴とするスキャナ付携帯装置。
【請求項２】
前記圧着パッド並びにローラは導電性部材からなり、
前記検出手段は、前記圧着パッドと前記ローラとの接触状態に対する電気信号に基づいて前記原稿が前記パッドと前記ローラとに挟持されているか否かを検出することを特徴とする請求項1に記載のスキャナ付携帯装置。
【請求項３】
前記制御手段は、前記検出手段が前記原稿を挟持していることを検出したときに、走査モードとなり一定光量の出射光を前記照射手段より出力するように制御することを特徴とする請求項３記載のスキャナ付携帯装置。
【請求項４】
前記スキャナ付携帯装置は、透過板を有し、前記透過板は、前記走査モードのときには原稿と透過板とが隣接し、前記送信モードのときには前記光変調した光が通過するように設置されたことを特徴とする請求項４に記載のスキャナ付携帯装置。
【請求項５】
前記制御手段は、前記送信モードのときに前記原稿を挟持していることを前記検出手段によって検出された場合に、警告を告知することを特徴とする請求項３乃至５に記載のスキャナ付携帯装置。
【発明の詳細な説明】
【０００１】
【産業上の利用分野】
本発明は、文字データ等の２次元画像を光送信する機能と２次元画像を読取るスキャナ機能とを備えたスキャナ付携帯装置に関する。
【０００２】
【従来の技術】
近年、表示素子の省電力化、２次電池の小型化、記憶素子の小型・大容量化等の発展を背景に携帯用電子装置の高機能化が盛んに行われている。例えば、電子手帳は、記録すべき情報をデータベース化することが可能であり、膨大な情報の蓄積と、蓄積した情報の検索が容易となる。また、例えば光通信等の機能を装備したものであれば、蓄積した情報をパーソナルコンピュータ（以下パソコンと記す。）等のより高度な処理を行うことが可能な他の処理装置に転送することができる。
更に、上記光通信機能を用いれば、パソコンに接続されたスキャナ等で取り込んだ画像データを受信することも可能となり、受信した画像データを必要に応じて文字データに変換して蓄積することができる。
【０００３】
ところで、電子手帳は、携帯性に優れていることから、パソコンのない場所で操作される頻度が高い。例えば、外出先で受け取った複数の名刺等の内容（会社名）を電子手帳に記憶させる場合は、手操作で入力する必要がある。
しかしながら、電子手帳は、小型化、軽量化される利点に相反して操作性が悪化する傾向にあり、会社名や電話番号等の多くのデータの入力を手操作で行うことは、煩雑である。
そこで、小型のスキャナを携帯することが考えられるが、常にスキャナが必要になるとは限らず、また紛失する恐れもあることからスキャナ機能を有する電子手帳の出現が望まれている。
【０００４】
【発明が解決しようとする課題】
本発明は、上記問題点に鑑みなされたものであり、その目的は、スキャナと携帯装置とを効率的に一体化することができるスキャナ付携帯装置を提供することである。
【０００５】
【課題を解決するための手段】
上記課題を解決するため、請求項１記載の発明は、
２次元画像を担う原稿に光を照射する照射手段と、照射した光の原稿からの反射光を受光する受光手段と、受光した反射光に基づいて２次元画像を読取る読取手段とを含むスキャナを備えると共に、取り込んだ情報に基づいて変調した光を送信する送信手段を備えたスキャナ付携帯装置であって、原稿を挟持するための、互いに接触する方向に付勢された圧着パッド並びにローラとを備えると共に、圧着パッドとローラとの接触状態に基づいて原稿がパッドとローラとに挟持されているか否かを検出する検出手段を備え、スキャナは、検出手段が原稿が挟持されてないことを検出したときに、送信モードとなり変調した光を照射手段より出力するよう制御する制御手段を有し、送信手段は、スキャナにおける照射手段から出射される出射光を情報に基づいて光変調する変調手段を備えたことを特徴とするスキャナ付携帯装置。
【０００６】
請求項２記載の発明は、請求項１記載のスキャナ付携帯装置において、圧着パッド並びにローラは導電性部材からなり、検出手段は、圧着パッドとローラとの接触状態に対する電気信号に基づいて原稿がパッドとローラとに挟持されているか否かを検出することを特長とする。
【０００７】
本発明のスキャナ付携帯装置は、照射手段により２次元画像を担う原稿に光を照射し、原稿から反射した反射光を受光手段により受光し、受光した反射光に基づいて２次元画像を読取手段により読取るスキャナを備えると共に、取り込んだ情報に基づいて光を変調して外部装置に送信する送信手段を備えている。送信手段は、スキャナにおける照射手段から出射される出射光を画像情報や文字情報等をパソコン等に送信したい情報に基づいて変調するように構成しているので、スキャナにおける照射手段を光通信に用いる発光手段と兼用できることになり、スキャナと携帯装置とが効率的に一体化される。
【０００８】
【発明の実施の形態】
次に図面を用いて、本発明の好ましい実施形態について説明する。尚、この実施形態では、携帯装置として電子手帳を採用した例について説明する。
図１は、本発明の実施形態による電子手帳の構造図である。図１（ａ）は電子手帳の斜視図を、図１（ｂ）は図１（ａ）で示した電子手帳を矢印Ｘ方向から見た時の要部構造図を示している。
【０００９】
電子手帳１００は、タッチパネル機能を有する液晶素子等の表示装置１１が筐体１０の天板１０ａのほぼ中央に配設されると共に、上記天板１０ａの外周縁部の一部がＵ字状に切り欠かれて、挿入口１２が形成されている。挿入口１２を構成する外壁面（筐体１０の側面１０ｂ側）の一部は、平面状の赤外線透過フィルタ１４と導電性の圧着パッド１５とが接合形成された平板で構成されている。かかる平板は、筐体１０の表示面（天板１０ａ）側に赤外線透過フィルタ１４を、筐体１０の底面（表示面と反対側の面）側に圧着パッド１５を配置している。また、挿入口１２を構成する内壁面（上記平板と対向する面）は、赤外線透過フィルタ１４と対向する位置に透明ガラス１６が配されると共に、圧着パッド１５と対向する位置に導電性の弾性部材で形成されたローラ４２が配置されている。かかるローラ４２は、図示しない付勢部材により圧着パッド１５側に常時付勢され、圧着パッド１５とローラ４２との間に原稿４１が挿入されていない時には、これら圧着パッド１５とローラ４２とが接触した状態とされる。
【００１０】
筐体１０内部には、照射手段である発光素子２５と、発光素子２５から出射して原稿４１で反射した光を集光する集光レンズ３４と、集光レンズ３４で集光された光を受光するＣＣＤ等の受光手段としてのラインセンサ３３が設けられている。
【００１１】
上記発光素子２５は、電子手帳１００が後述するデータの送信モードにある場合は、データを光通信するための発光手段として作用する。つまり、発光素子２５から出射した送信すべきデータを担う光は、透明ガラス１６及び赤外線透過フィルタ１４を介して筐体１０の外部に出射され、例えばパソコン等赤外線受光部を有する装置で受光される。
【００１２】
一方、電子手帳１００がスキャン（走査）モードの場合は、上記発光素子２５は、原稿４１の２次元画像の読取りを行うための照射手段として作用する。つまり、発光素子２５から出射した光は、透明ガラス１６を透過した後、原稿４１の表面上で反射され、集光レンズ３４を介してラインセンサ３３上に照射される。
【００１３】
上記原稿４１は、筐体１０の底面１０ｃ側から挿入口１２に挿入される。挿入口１２の底面側には、圧着パッド１５とローラ４２とが接触した状態で配置されているが、原稿４１が圧着パッド１５とローラ４２間に挿入されると、圧着パッド１５とローラ４２の接触が解除される。この解除された状態を後述する方法で検出することにより、電子手帳１００の走査モードになるように構成している。
【００１４】
次に、図２を用いて、電子手帳１００の回路ブロック構成を説明する。
本発明の電子手帳１００は、当該電子手帳１００が取り込んだデータをパソコン等の外部機器に送信する送信部２０と、原稿４１の２次元画像を読取る読取部３０と、原稿４１が挿入口１２から挿入されたことを検出すると共に、挿入された原稿４１の移動量に対応したパルス信号を発生させる搬送部４０と、上記読取部３０と搬送部４０とから出力される信号の処理及び送信部２０へのデータの送出を制御する制御部５０とで構成される。
【００１５】
送信手段である送信部２０は、ＲＡＭ５３に記憶されるテキストデータ等の電子手帳１００が外部から取り込んだテジタルデータを赤外線を用いて光送信する部分であり、発光素子２５と、ＲＡＭ５３から供給されるデジタルデータを一時記憶するバッファ２１と、一時記憶されたデジタルデータとをＰＳＫ（Ｐｈａｓｅ  Ｓｈｉｆｔ  Ｋｅｙｉｎｇ）変調する変調器２２と、発光素子２５を駆動する駆動信号として変調器２２から出力される変調信号を発光素子２５に中継出力する信号切替部２３とされる。
【００１６】
読取手段である読取部３０は、走査モードにおいて一定光量の光を出射するために発光素子２５に一定電流を信号切替部２３を介して供給する定電流源２４と、発光素子２５から出射され、名刺等の原稿４１に照射された光の当該原稿４１からの反射光をラインセンサ３３に集光させる集光レンズ３４と、集光された上記反射光を受光し、当該反射光の光の強度に応じた電気信号を出力する受光手段であるラインセンサ３３と、ラインセンサ３３から出力される電気信号を所定の振幅レベルを有する基準信号と比較して、２次元画像（原稿４１）の濃（黒）淡（白）に対応する０と１の２値化データに変換するコンパレータ３２と、コンパレータ３２から出力される２値化データを一時的に保持し、必要に応じて後述するＣＰＵ５１に出力するレジスタ３１とで構成される。
尚、上記信号切替部２３は、電子手帳１００が送信モードの場合は、変調器２２の出力を発光素子２５に供給すると共に、電子手帳１００が走査モードの場合は、定電流源２４からの出力を発光素子２５に供給する。
【００１７】
一方、搬送部４０は、ローラ４２と、このローラ４２の付勢力によって図１に示す挿入口１２に挿入された原稿４１を挟持する圧着パッド１５と、上記ローラ４２の回転動作に応じた数のパルス信号を発生するＦＧ（パルス発生器）４３と、ＦＧ４３から出力されるパルス信号に基づいて挿入された原稿４１の搬送量（移動量）を演算するエンコーダ４４と、圧着パッド１５の電位を接地レベルにプルダウンせしめる抵抗器４５とからなる。
【００１８】
ここで、圧着パッド１５及びローラ４２は、いずれも導電性部材からなり、ローラ４２には、図示しない電源電圧が常時印加されている。従って、圧着パッド１５とローラ４２とが接触している場合、即ち、原稿４１が挿入口１２に挿入されていない場合は、ローラ４２と圧着パッド１５並びに抵抗器４５とによって電流回路が形成され、かかる電流回路に流れる電流によって抵抗器４５の両端の電圧が上昇する。このように、ローラ４２と圧着パッド１５とが接触した状態において発生する電圧信号がＯＮ信号として原稿４１が挿入されたことを検出する検出手段であるＣＰＵ５１に供給される。一方、原稿４１が挿入口１２に挿入され、ローラ４２と圧着パッド１５とが離されると、上記電流回路が形成されなくなり、ローラ４２から圧着パッド１５に電流が供給されないので、抵抗器４５の両端の電圧はゼロ（接地レベル）となる。このように、ローラ４２と圧着パッド１５とが離れた状態において発生する電圧信号、つまり接地レベルの信号がＯＦＦ信号としてＣＰＵ５１に供給される。従って、ＣＰＵ５１は、搬送部４０から供給される上記ＯＮ／ＯＦＦ信号を監視することによって、電子手帳１００の挿入口１２に原稿４１が挿入されたか否かを検出することが可能となる。
【００１９】
一方、制御部５０は、ＣＰＵ５１と、ＲＯＭ５２と、ＲＡＭ５３と、表示装置５４及び電源部５５とで構成される。ＣＰＵ５１は、ＲＯＭ５２に記憶された動作プログラムに従って、後述するデータの送信制御並びに原稿４１の２次元画像の読取制御を行うと共に、主として電子手帳１００全体の動作制御を行う。ＲＯＭ５２は読出し専用メモリであり、ＣＰＵ５１に行わしめる制御動作に拘る動作プログラムを予め記憶すると共に、後述する読取動作において、必要に応じて行われる文字認識処理で用いられる辞書情報を記憶している。ＲＡＭ５３は、ランダムアクセスメモリであり、読取り部３０から画像データや、ＣＰＵ５１の各種制御動作に伴って発生する変数やカウンタ値を記憶したり、或は読み出すための書き換え可能なメモリである。
【００２０】
また、ＣＰＵ５１は、電源回路５５の電池５６の電圧を常時監視し、かかる電圧レベルが所定電圧以下になった場合は、表示装置１１に警告表示させると共に、図示しないスピーカから警告音を発生させるように動作する。また、ＣＰＵ５１は、電子手帳１００の各構成ブロックに対して必要に応じて電源回路５５からの電圧供給動作を制御する。例えば、電子手帳１００が所定時間以上使用されない場合は、自動的にＣＰＵ５１、ＲＡＭ５３及びローラ４２以外の電源を遮断（ＯＦＦ）する。一方、ＣＰＵ５１は、表示装置１１の操作キーが操作されるか、或は原稿４１が挿入口１２に挿入された場合は、電子手帳１００の全ての構成ブロックに対する電源回路５５からの電源供給が行われている状態（以下、ＯＮ状態という。）にして、電子手帳１００が通常の動作が行えるように制御する。
【００２１】
次に、以上の構成よりなる電子手帳１００における原稿４１の２次元画像データの読取り動作並びにデータの送信動作について図３及び図４を用いて説明する。尚、図３及び図４のフロー図に示されるＣＰＵ５１の動作態様は、予め電子手帳１００のＲＯＭ５２に動作プログラムとして記憶されている。
【００２２】
データの送信モードの動作説明
図３は、電子手帳１００のＲＡＭ５３に記憶されているデータを外部機器に送信する送信モードにおける動作フロー図である。尚、図３においては、電子手帳１００は、操作者により電源釦などの図示せぬ操作キーが操作され、電源回路５５がＯＮ状態になっているものとする。また、送信すべきデータは、操作者により既に選定されているものとする。
【００２３】
図３において、ＣＰＵ５１は、操作者により表示装置１１に表示された操作キーを介して送信釦が押下されたことを検出すると、まずステップＳ１に移行して、搬送部４０より圧着パッド１５とローラ４２とが離れた状態にあることを示すＯＦＦ信号が供給されているか否かを判定する。ステップＳ１において、ＯＦＦ信号の供給が有ると判断された場合には（ステップＳ１：ＹＥＳ）、挿入口１２に原稿４１が挿入されていることによるデータ送信への支障が発生する畏れがあるので、挿入口１２に挿入されている原稿４１を取り除くべき旨の警告表示を行い（ステップＳ６）、送信モードを終了する。
一方、ステップＳ１において、ＯＦＦ信号の供給が無いと判断された場合には（ステップＳ１：ＮＯ）、ステップＳ２に移行してＲＡＭ５３に記憶されている複数のデータファイルのうち、操作者によって予め選択されたファイルを呼び出し、バッファ２１に供給する。
【００２４】
次いで、ステップＳ３に移行して、ＣＰＵ５１は、変調器２２を動作可能状態にすると共に、この変調器２２からの出力信号で発光素子２５を駆動せしめる信号切替部２３を変調器２２側に切り替える。次いで、ステップＳ４に移行して、ＣＰＵ５１は、バッファ２１に記憶したデジタルデータを変調器２２に供給する。これにより変調器２２は、供給されたデジタルデータに基づき、ＰＳＫ変調を行うことによって変調信号を生成し、かかる変調信号が信号切替部２３を介して発光素子２５に供給される。従って、発光素子２５からの出射光は、変調器２２から供給されたＰＳＫ信号に基づいて出射光量の制御、つまり光変調がなされる。
【００２５】
ついで、ステップＳ５に移行して、ＣＰＵ５１は、バッファ２１のデジタルデータの残量を監視し、送信すべきデータの送信が完了していない場合（ステップＳ５：ＮＯ）は、ステップＳ４に移行し、バッファ２１からのデジタルデータの転送動作を継続する。一方、送信が完了した場合（ステップＳ５：ＹＥＳ）は、電子手帳１００の送信モードを終了する。
【００２６】
データのスキャン（走査）モードの動作説明
図４は、電子手帳１００により原稿４１の２次元画像を読取る際の走査モードの動作フロー図である。
図４に示すステップＳ４１において、ＣＰＵ５１は、搬送部４０よりＯＦＦ信号が供給されているか否かを監視する。搬送部４０からＯＦＦ信号が得られない場合（ステップＳ４１：ＮＯ）は、ステップＳ４２に移行し、待機状態を継続する。ステップＳ４１において、ＯＦＦ信号が得られた場合、即ち、操作者により原稿４１が挿入口１２に挿入されたことを検出すると、ステップＳ４３において電子手帳１００の電源部５５の電源をＯＮ状態にする。
【００２７】
次いで、ステップＳ４４に移行し、発光素子２５から一定光量の照射光を出力するべく信号切替部２３を定電流源２４側に切り替える。次いで、ステップＳ４５に移行し、ＣＰＵ５１は、ローラ４２の回転に同期してＦＧ４３から出力されるパルス信号からエンコーダ４４で求めた原稿４１の位置情報（移動量）に応じて、レジスタ３１から供給される原稿４１の２次元画像の濃淡を示す２値化データを取り込む。次いで、ステップ４６に移行し、ＣＰＵ５１は、取り込んだ二値化データをＲＡＭ５３に記憶する。この時、必要に応じて取り込んだ２値化データを文字データに符号変換して記憶するようにしても良い。
【００２８】
次に、ＣＰＵ５１は、ステップＳ４７において、搬送部４０からＯＮ信号が供給されているか否かを監視し、ＯＮ信号が供給されていない場合（ステップＳ４７：ＮＯ）は、ステップＳ４５に移行し、上記レジスタ３１からの２値化データの読み込みを継続する。また、ＯＮ信号が供給された場合（ステップＳ４７：ＹＥＳ）は、原稿４１の最終縁部がローラ４２を通過し、読取が完了したと判断し、走査モードの一連の動作を終了する。
【００２９】
尚、本発明の実施形態での電子手帳１００は、操作者が原稿４１を挿入口１２に挿入し、手で原稿４１を移動するように説明したが、挿入口１２に原稿４１が挿入されたことを検出し、自動的にローラ４２を回転するように構成しても良い。
【００３０】
また、本発明の電子手帳１００は、Ｕ字状に切り欠いた挿入口１２に名刺等の原稿４１を挿入する構成で説明したが、挿入口１２を設けずに読取部３０における透明ガラス１６を直接露出させ、当該露出した透明ガラス１６を原稿４１に接触させながら、電子手帳１００または原稿４１のいずれかを移動させて原稿４１上の画像を読み取る構成であっても本発明を適用することは可能である。
【００３１】
【発明の効果】
以上説明した通り本発明のスキャナ付携帯装置は、スキャナにおける照射手段を光通信に用いる発光手段と兼用する構成としたので、スキャナと携帯装置とを効率的に一体化することができて好ましい。
【図面の簡単な説明】
【図１】本発明の実施形態による電子手帳１００の構造図。
【図２】本発明の実施形態による電子手帳１００のブロック図。
【図３】本発明の電子手帳１００の送信モードのフロー図。
【図４】本発明の電子手帳１００のスキャン（走査）モードのフロー図。
【符号の説明】
１０・・・筐体
１１・・・表示装置
１２・・・挿入口
１４・・・赤外線透過フィルタ
１５・・・圧着パッド
１６・・・透明ガラス
２０・・・送信手段としての送信部
２５・・・照射手段である発光素子
３０・・・読取手段としての読取部
３３・・・受光手段であるラインセンサ
３４・・・集光レンズ
４２・・・ローラ
【図１】
0003857826.tif 000002
【図２】
0003857826.tif 000003
【図３】
0003857826.tif 000004
【図４】
0003857826.tif 000005